(57)【要約】【課題】めくられた頁を分離し易くすることである。【解決手段】頁めくり装置１は、開かれた本Ｂの頁Ｐに対して付着又は分離する付着部１４と、付着部１４を先端部に有し、頁Ｐのめくり元位置で当該頁Ｐに付着部１４を付着させ、頁Ｐのめくり先位置で当該頁Ｐから付着部１４を分離させるべく、めくり元位置とめくり先位置との間で付着部１４を往復動作させるように揺動するアーム部１３と、付着部１４の外周近傍に配設し、めくり元位置からめくり先位置へ付着部１４を移動させる途中で、頁Ｐの当該付着部１４との付着面近傍に当接するガイド１５ｂと、を備えるようにする。【選択図】図１
2017030289.tif 000002
【特許請求の範囲】
【請求項１】
開かれた本の頁をめくる頁めくり装置であって、
前記頁に対して付着又は分離する付着部と、
前記付着部を先端部に有し、めくり元位置で前記頁に前記付着部を付着させ、めくり先位置で当該頁から前記付着部を分離させるべく、前記めくり元位置と前記めくり先位置との間で前記付着部を往復動作させるように揺動するアーム部と、
前記付着部の外周近傍に配設し、前記めくり元位置から前記めくり先位置へ前記付着部を移動させる途中で、前記頁の当該付着部との付着面近傍に当接する当接部材と、を備えることを特徴とする頁めくり装置。
【請求項２】
前記アーム部は、前記めくり元位置で前記頁に前記付着部が付着した際の先端部の高さ位置が基端部の高さ位置よりも高くなるように配設し、
前記当接部材は、少なくとも前記付着部の前記めくり元位置側側方に配設することを特徴とする請求項１に記載の頁めくり装置。
【請求項３】
駆動軸を中心に前記アーム部を揺動させる駆動部を備え、
前記駆動部は、前記本を上面視したときに、前記頁から分離する際の前記付着部の位置が前記頁に付着した際の前記付着部の位置よりも前記本の外側にずれるように前記アーム部を駆動することを特徴とする請求項１又は２に記載の頁めくり装置。
【請求項４】
前記付着部は、前記めくり元位置で前記頁を付着させた際の当該付着部の付着面が常に重力の方向を向くように、前記アーム部に回動自在に取り付け、
前記当接部材は、少なくとも前記付着部の前記めくり元位置側側方に、当該付着部の回動と連動して回動可能に配設することを特徴とする請求項１に記載の頁めくり装置。
【請求項５】
前記当接部材は、頁のすべりを防止する摩擦部材を有することを特徴とする請求項１〜４の何れか一項に記載の頁めくり装置。
【請求項６】
前記付着部は、円柱形状をなし、
前記付着部の前記頁を付着させる付着領域を除いて、当該付着部の円柱側面を覆う断面Ｃ字状のカバー部材を備えることを特徴とする請求項１〜５の何れか一項に記載の頁めくり装置。
【請求項７】
前記当接部材は、前記カバー部材の両端部に配設することを特徴とする請求項６に記載の頁めくり装置。
【請求項８】
開かれた本の頁をめくる頁めくり装置であって、
前記頁に対して付着又は分離する付着部と、
前記付着部を先端部に有し、めくり元位置で前記頁に前記付着部を付着させ、めくり先位置で当該頁から前記付着部を分離させるべく、前記めくり元位置と前記めくり先位置との間で前記付着部を往復動作させるように揺動するアーム部と、
前記付着部の外周近傍に配設し、前記めくり元位置から前記めくり先位置へ前記付着部を移動させる途中で、当該付着部から前記頁を引き剥がす引き剥がし部材と、を備えることを特徴とする頁めくり装置。
【発明の詳細な説明】
【技術分野】
【０００１】
本発明は、頁めくり装置に関する。
【背景技術】
【０００２】
従来、例えば本等の頁をめくる装置としては、重なっている頁を粘着ローラで粘着して持ち上げ頁をめくる頁めくり装置が知られている（例えば特許文献１参照）。
【先行技術文献】
【特許文献】
【０００３】
【特許文献１】特開２０１４−０６１６１９号公報
【発明の概要】
【発明が解決しようとする課題】
【０００４】
ところで、頁を粘着によりめくる場合、上質紙などの薄い紙種であると頁を付着させ易い一方で、当該頁を分離し難いという問題があった。
このため、本発明の課題は、めくられた頁を分離し易くすることである。
【課題を解決するための手段】
【０００５】
以上の課題を解決するため、本発明の一の態様によれば、
開かれた本の頁をめくる頁めくり装置であって、
前記頁に対して付着又は分離する付着部と、
前記付着部を先端部に有し、めくり元位置で前記頁に前記付着部を付着させ、めくり先位置で当該頁から前記付着部を分離させるべく、前記めくり元位置と前記めくり先位置との間で前記付着部を往復動作させるように揺動するアーム部と、
前記付着部の外周近傍に配設し、前記めくり元位置から前記めくり先位置へ前記付着部を移動させる途中で、前記頁の当該付着部との付着面近傍に当接する当接部材と、を備えることを特徴とする頁めくり装置が提供される。
【発明の効果】
【０００６】
本発明によれば、めくられた頁を分離し易くすることができる。
【図面の簡単な説明】
【０００７】
【図１】本実施形態の頁めくり装置の概略構成を示す斜視図である。
【図２】本実施形態に係る頁分離用カバーの概略構成を示す斜視図であり、（ａ）は頁分離用カバーを左斜め前方から見た斜視図であり、（ｂ）は頁分離用カバーを右斜め後方から見た斜視図である。
【図３】本実施形態の頁めくり装置の動作時の一状態を示す正面図である。
【図４】本実施形態の頁めくり装置の動作時の一状態を示す正面図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は本実施形態の頁めくり装置１の概略構成を示す斜視図である。なお、以下の説明においては本Ｂの頁Ｐを左から右へとめくる場合について説明する。
図１に示すように、頁めくり装置１は、開かれた本Ｂを保持する保持台２０と、保持台２０上の本Ｂの頁Ｐのめくり元位置で頁Ｐを保持し、頁Ｐのめくり先位置で頁Ｐに対する保持を解除するめくり装置本体１０とを備えている。
【００１０】
めくり装置本体１０は、略直方体形状の収納ケース１１と、駆動軸を有するモータなどの駆動部１２と、当該駆動軸を中心に揺動するアーム部１３と、アーム部１３の先端に取り付けられ、本Ｂの頁Ｐに対して付着する付着部１４と、付着部１４を覆うとともに、頁Ｐのめくり先位置において付着部１４に付着した頁Ｐの分離を促す頁分離用カバー１５と、駆動部１２、アーム部１３及び付着部１４を支持する台座部（図示省略）と、めくり元位置にある頁Ｐの上方に風を通過させることでめくり先位置にある頁Ｐに対して風を当てる送風部１６と、各部を制御する制御部（図示省略）と、を備えている。
【００１１】
駆動部１２の駆動軸は、頁Ｐの綴じ目ｂ２に対して左側に配設され、且つ、当該駆動軸の後端部（図１に示す本Ｂに近い方の端部）が頁Ｐのめくり先位置寄りとなって、基端部にあたる前端部が頁Ｐのめくり元位置寄りとなるように傾かせている。この場合には頁Ｐのめくり元位置で付着部１４を付着させたとしても、アーム部１３が駆動軸を中心に回転すると往動の終点位置では付着部１４が本Ｂから前側（本Ｂの天側）に離れることとなる。このため、付着していた頁Ｐから付着部１４を分離させやすくすることができる。
また、駆動部１２の駆動軸は、上述した後端部の高さ位置よりも前端部の高さ位置の方が高くなるように水平面に対しても傾かせている。この場合には頁めくりの後半で本Ｂ（綴じ目ｂ２）と付着部１４との距離を長くし、付着していた頁Ｐから付着部１４を分離させやすくするとともに、頁めくりの前半から中盤での本Ｂ（綴じ目ｂ２）と付着部１４との距離を短くすることができ、頁Ｐを適度にたるませることができるので、確実に頁Ｐをめくることが可能となる。
【００１２】
アーム部１３は、めくり元位置で頁Ｐに付着部１４が付着した際の先端部の高さ位置が基端部の高さ位置よりも高くなるように配設されている（図３参照）。また、このとき頁分離用カバー１５は、ガイド１５ｂ，１５ｂ（後述）がめくり元位置の頁Ｐに当接しないようにアーム部１３に取り付けられている。つまり、図３における右側のガイド１５ｂが配設された位置からアーム部１３の軸線上に下した垂線の長さよりも、左側のガイド１５ｂが配設された位置からアーム部１３の軸線上に下した垂線の長さの方が長くなるようなっている。
【００１３】
付着部１４は、円柱形状をなすベース部材１４ａと、ベース部材１４ａの周囲に巻き付けられる粘着部材１４ｂと、を備えている。
ベース部材１４ａは、例えばスポンジなどのような弾性体から形成し、その中心部にアーム部１３の先端にこのベース部材１４ａを取り付けるための取付部（図示省略）を形成している。
粘着部材１４ｂは、シート体であり例えば両面テープなどのように両面粘着構造を有している。粘着部材１４ｂは二層構造となっていて、本Ｂに付着する側（表面側）においては弱粘性で剥がしてもカスが残らない特性と、複数回使用できる特性を有する弱粘層となっている。他方、裏側においてはベース部材１４ａに巻き付けられた状態を維持できるように弱粘層よりも強い粘性を有する強粘層となっている。
【００１４】
次に、頁分離用カバー１５について説明する。
図２は頁分離用カバー１５の概略構成を示す斜視図であり、図２（ａ）は頁分離用カバー１５を左斜め前方から見た斜視図であり、図２（ｂ）は頁分離用カバー１５を右斜め後方から見た斜視図である。
【００１５】
図２（ａ）及び（ｂ）に示すように、頁分離用カバー（カバー部材）１５は、カバー本体１５ａと、付着部１４に付着した頁Ｐの分離を促す、もしくは頁Ｐを引き剥がすガイド（当接部材、引き剥がし部材）１５ｂ，１５ｂと、頁分離用カバー１５をアーム部１３に取り付けるためのブラケット１５ｃ，１５ｃとを備えている。
【００１６】
カバー本体１５ａは、断面Ｃ字状をなしており、円柱形状をなす付着部１４の頁Ｐを付着させる付着領域を除いて、この付着部１４の側面を覆っている。
ガイド１５ｂ，１５ｂは、円柱形状をなしており、カバー本体１５ａの両端にそれぞれ配設されている。また、ガイド１５ｂ，１５ｂには、頁Ｐのすべりを防止するためのシート状の摩擦部材（例えば、コルクシート、ウレタンゴムシート、合成皮革シート等）１７がそれぞれの側面に取り付けられている。
ブラケット１５ｃ，１５ｃは、それぞれ扇形状をなしており、カバー本体１５ａの背面側に配設されている。また、ブラケット１５ｃ，１５ｃには、頁分離用カバー１５をアーム部１３にネジ止めする際のネジ止め用の丸孔１５ｃ１，１５ｃ１が扇形状のうちの要部分に穿設されている。
【００１７】
保持台２０は、第１保持板２１と、ヒンジ２３（図３参照）により傾斜角度を調整自在な第２保持板２２とを備えている。ここで、本Ｂの頁Ｐが左から右へとめくられる場合は、左側に配置された第１保持板２１が卓上に沿うように置かれ、右側に置かれる第２保持板２２が第１保持板２１に対して所定の角度で起き上がるように傾斜して卓上に置かれる。第１保持板２１上には、本Ｂのめくり元位置となる頁Ｐが置かれ、第２保持板２２上には、本Ｂのめくり先位置となる頁Ｐが置かれることになる。
これにより、保持台２０は、めくり元位置にある頁Ｐよりもめくり先にある頁Ｐの方が本Ｂの綴じ目ｂ２に対して起きる方向に傾斜するように本Ｂを保持することになる。なお、めくり先位置にある頁Ｐの水平面に対する傾斜角度としては３０〜４５度内の範囲で調整することが好ましい。
【００１８】
図３は付着部１４がめくり元位置の頁Ｐに接触した状態を示す図である。
図３に示すように、付着部１４がめくり元位置の頁Ｐに接触した状態にあるとき、頁分離用カバー１５のガイド１５ｂ，１５ｂは頁Ｐに接触しないように設定されている。そして、付着部１４はこの状態から頁Ｐの上方で円弧を描くように移動して頁Ｐのめくり先位置に移動する。
【００１９】
図４はめくられた頁Ｐに頁分離用カバー１５のガイド１５ｂが当接している状態を示す図である。
図４に示すように、付着部１４が頁Ｐのめくり先位置に移動したとき、頁分離用カバー１５の上側のガイド１５ｂによって、めくられた頁Ｐが図中の左方に押し出されるので、付着部１４から頁Ｐを分離し易くすることができる。
付着部１４は往動時とは進行方向が逆の同経路で頁Ｐから分離した状態で移動し、最終的に頁Ｐのめくり元位置で新たな頁Ｐに付着する。この往復動作を繰り返すことで頁Ｐのめくり動作が進行する。
【００２０】
ここで、付着部１４は上述したように本Ｂから前側（本Ｂの天側）に離れることとなるため、付着していた頁Ｐから付着部１４を分離させ易くはなっているが、上質紙などの付着度合いの強い紙種の場合には頁Ｐを分離し難く頁Ｐの損傷を招く虞がある。そこで、本実施形態のように頁分離用カバー１５を用いることにより、めくり先位置での頁Ｐの分離を促し、上質紙などの付着度合いの強い紙種の頁Ｐでも確実に分離することができるようにすることで、頁Ｐの分離をより安定させることができるようになる。
【００２１】
以上のように、本実施形態によれば、めくり元位置からめくり先位置へ頁Ｐを付着させた付着部１４を移動させる途中で、頁Ｐの当該付着部１４との付着面に当接するガイド１５ｂを付着部１４の外周近傍に備えているので、ガイド１５ｂを頁Ｐに当接させることによって頁Ｐの分離を促し、頁Ｐを付着部１４から分離し易くすることができる。
【００２２】
また、アーム部１３は、めくり元位置で頁Ｐに付着部１４が付着した際の先端部の高さ位置が基端部の高さ位置よりも高くなるように配設し、めくり先位置で頁分離用カバー１５の上側のガイド１５ｂによって、めくられた頁Ｐが押し出されるようにすることで、頁Ｐが突っ張る方向に押し出されることを抑制することができ、付着部１４から頁Ｐを分離する際の頁Ｐの損傷を防ぐことができる。
【００２３】
また、駆動部１２は、本Ｂを上面視したときに、頁Ｐから分離する際の付着部１４の位置が頁Ｐに付着した際の付着部１４の位置よりも本Ｂの外側にずれるようにアーム部１３を駆動するので、頁Ｐを付着部１４から分離し易くすることができ、更に、本実施形態のように頁分離用カバー１５を用いることにより、めくり先位置での頁Ｐの分離を促し、上質紙などの付着度合いの強い紙種の頁Ｐでも確実に分離することができる。
【００２４】
また、ガイド１５ｂ，１５ｂの側面には摩擦部材１７が設けられているので、頁Ｐのすべりを防止し、めくられた頁Ｐを確実に押し出すことができるようになる。
【００２５】
また、付着部１４の頁Ｐを付着させる付着領域を除いて、当該付着部１４の円柱側面を覆う断面Ｃ字状の頁分離用カバー１５を備えているので、付着部１４に埃等が付着してしまうことを抑制することができる。
【００２６】
なお、本発明は上記実施形態に限らず適宜変更可能である。
例えば、付着部１４は、めくり元位置で頁Ｐを付着させた際の当該付着部１４の付着面が常に重力の方向を向くように、アーム部１３に回動自在に配設するとともに、頁分離用カバー１５も付着部１４の回動と連動して回動可能に配設するようにしてもよい。この場合、付着部１４に付着した頁Ｐがめくられていくに従って、頁Ｐは付着部１４の付着面から徐々に分離し、最終的に頁分離用カバー１５のガイド１５ｂによって、頁Ｐの分離が促されることとなる。
また、頁分離用カバー１５の回動角度が制御可能となるように頁分離用カバー１５をアーム部１３に配設するようにしてもよい。この場合、付着部１４がめくり先位置に到達したタイミングで、ガイド１５ｂによって頁Ｐが押し出されるように頁分離用カバー１５を回動させることによって、安定して頁Ｐを分離することができるようになる。
【００２７】
また、例えば、付着部１４の形状を楕円柱状とし、この楕円柱の側面を付着面としてもよい。具体的には、付着部１４は、この楕円柱状の長軸側の側面が常に重力の方向を向くように、アーム部１３に回動自在に取り付けるようにする。この場合、付着部１４に付着した頁Ｐがめくられていくに従って、長軸側の側面から短軸側の側面へと頁Ｐが移行することとなり、付着面積が徐々に小さくなる。これにより、付着部１４による頁Ｐの付着力が徐々に弱まり、頁Ｐの分離を促すことができるようになる。また、その他の方法として、例えば、円柱状の付着部１４の側面の一部分を付着面とし、その他の側面は非付着面としてもよい。具体的には、付着部１４は、この付着面が常に重力の方向を向くように、アーム部１３に回動自在に取り付けるようにする。この場合、付着部１４に付着した頁Ｐがめくられていくに従って、付着面から非付着面へと頁Ｐが移行することとなり、付着部１４の形状を上記楕円柱状とした場合と同様に、付着面積が徐々に小さくなる。これにより、付着部１４による頁Ｐの付着力が徐々に弱まり、頁Ｐの分離を促すことができるようになる。
【００２８】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００２９】
〔付記〕
［請求項１］
開かれた本の頁をめくる頁めくり装置であって、
前記頁に対して付着又は分離する付着部と、
前記付着部を先端部に有し、めくり元位置で前記頁に前記付着部を付着させ、めくり先位置で当該頁から前記付着部を分離させるべく、前記めくり元位置と前記めくり先位置との間で前記付着部を往復動作させるように揺動するアーム部と、
前記付着部の外周近傍に配設し、前記めくり元位置から前記めくり先位置へ前記付着部を移動させる途中で、前記頁の当該付着部との付着面近傍に当接する当接部材と、を備えることを特徴とする頁めくり装置。
［請求項２］
前記アーム部は、前記めくり元位置で前記頁に前記付着部が付着した際の先端部の高さ位置が基端部の高さ位置よりも高くなるように配設し、
前記当接部材は、少なくとも前記付着部の前記めくり元位置側側方に配設することを特徴とする請求項１に記載の頁めくり装置。
［請求項３］
駆動軸を中心に前記アーム部を揺動させる駆動部を備え、
前記駆動部は、前記本を上面視したときに、前記頁から分離する際の前記付着部の位置が前記頁に付着した際の前記付着部の位置よりも前記本の外側にずれるように前記アーム部を駆動することを特徴とする請求項１又は２に記載の頁めくり装置。
［請求項４］
前記付着部は、前記めくり元位置で前記頁を付着させた際の当該付着部の付着面が常に重力の方向を向くように、前記アーム部に回動自在に取り付け、
前記当接部材は、少なくとも前記付着部の前記めくり元位置側側方に、当該付着部の回動と連動して回動可能に配設することを特徴とする請求項１に記載の頁めくり装置。
［請求項５］
前記当接部材は、頁のすべりを防止する摩擦部材を有することを特徴とする請求項１〜４の何れか一項に記載の頁めくり装置。
［請求項６］
前記付着部は、円柱形状をなし、
前記付着部の前記頁を付着させる付着領域を除いて、当該付着部の円柱側面を覆う断面Ｃ字状のカバー部材を備えることを特徴とする請求項１〜５の何れか一項に記載の頁めくり装置。
［請求項７］
前記当接部材は、前記カバー部材の両端部に配設することを特徴とする請求項６に記載の頁めくり装置。
［請求項８］
開かれた本の頁をめくる頁めくり装置であって、
前記頁に対して付着又は分離する付着部と、
前記付着部を先端部に有し、めくり元位置で前記頁に前記付着部を付着させ、めくり先位置で当該頁から前記付着部を分離させるべく、前記めくり元位置と前記めくり先位置との間で前記付着部を往復動作させるように揺動するアーム部と、
前記付着部の外周近傍に配設し、前記めくり元位置から前記めくり先位置へ前記付着部を移動させる途中で、当該付着部から前記頁を引き剥がす引き剥がし部材と、を備えることを特徴とする頁めくり装置。
【符号の説明】
【００３０】
１        頁めくり装置
１０      めくり装置本体
１１      収納ケース
１２      駆動部
１３      アーム部
１４      付着部
１４ａ    ベース部材
１４ｂ    粘着部材
１５      頁分離用カバー
１５ａ    カバー本体
１５ｂ    ガイド
１５ｃ    ブラケット
１６      送風部
１７      摩擦部材
２０      保持台
２１      第１保持板
２２      第２保持板
２３      ヒンジ
Ｂ        本
ｂ２      綴じ目
Ｐ        頁
【図１】
2017030289.tif 000003
【図２】
2017030289.tif 000004
【図３】
2017030289.tif 000005
【図４】
2017030289.tif 000006